(57)【要約】【課題】  本発明の目的は、劇場内から放出される空気を再利用して効率よく映写機械室を空調し、空調システムの導入コスト及びランニングコストを抑えることが可能な空調システムを提供することにある。【解決手段】  第１被空調室Ｇと第２被空調室Ｅとの空調を行う空調システムＳに関する。  空調システムＳは、空調機Ｔと、外気導入手段１４と、第１被空調室Ｇの空調空気を一部吸気して移送する吸気手段１１と、第２被空調室Ｅへ空調空気を導入する第１空気導入手段１３と、空調機Ｔへ空調空気を導入する第２空気導入手段１２と、外気と空調空気を混合して再度空調を行う再空調手段Ｔ１と、第１被空調室Ｇへ再空調された再空調空気を導入する空気還元手段１５と、を備える。【選択図】        図１
2006266577.tif 000002
【特許請求の範囲】
【請求項１】
少なくとも一つの第１被空調室と少なくとも一つの第２被空調室との空調を行う空調システムにおいて、
該空調システムは、空調機と、
外気を取込む外気導入手段と、
前記第１被空調室の空調空気を一部吸気して移送する吸気手段と、
前記第２被空調室へ前記空調空気を導入する第１空気導入手段と、
前記空調機へ前記空調空気を導入する第２空気導入手段と、
外気と前記空調空気を混合して再度空調を行う再空調手段と、
前記第１被空調室へ再空調された再空調空気を導入する空気還元手段と、を備え、
前記吸気手段により吸気された前記空調空気は分岐され、一方の前記空調空気は、前記第１空気導入手段により前記第２被空調室へ導入されるとともに、他方の前記空調空気は前記第２空気導入手段により前記空調機へと送られ、
前記空調機へと送られた前記空調空気は、前記再空調手段により外気と混合されるとともに、再度空調されて前記再空調空気となり、該再空調空気は前記空気還元手段により前記第１被空調室に導入されることを特徴とする空調システム。
【請求項２】
前記再空調手段は、前記第２空気導入手段が導入する前記空調空気に、前記第２被空調室内へ導入された前記空調空気の容量分の外気を補填して再度空調を行うことを特徴とする請求項１に記載の空調システム。
【請求項３】
前記第１空気導入手段には、前記空調空気の導入量を調整するための調整手段が備えられていることを特徴とする請求項１に記載の空調システム。
【請求項４】
前記第２被空調室には、排気手段が備えられており、前記第２被空調室内の空気のうち、前記空調空気が導入された分の容量の空気が、前記排気手段により放出されることを特徴とする請求項１又は請求項３いずれかに記載の空調システム。
【請求項５】
前記第１被空調室は映画館であり、前記第２被空調室は映写機械室であることを特徴とする請求項１に記載の空調システム。
【発明の詳細な説明】
【技術分野】
【０００１】
本発明は、大容量空間に使用される空調設備に関し、より詳細には、シネマコンプレックス等、複数の劇場の集合体として形成される大劇場に適した空調システムに関するものである。
【背景技術】
【０００２】
従来より、大容量空間に多数の人員を動員し、映画や劇等の娯楽を提供する施設が提供されている。
このような施設は、建築技術の向上等により、より大容量化する傾向にあるが、これら大容量施設には、より多数の人員が動員されるため、適切な空調設備が必要であった。
つまり、これら大容量施設では、多数の人員が、一定時間密閉される状況にあるため、人員の安全及び快適性を確保するために適切な空調設備が必要となる。
【０００３】
このため、これら大容量施設において適切に空調を行うための設備が提案されている（例えば、特許文献１参照）。
特許文献１には、劇場内の空気を吸気し、一定割合の空気を空調機で冷却して再度劇場に戻し、残りの空気を外部へ放出する換気設備が開示されている。
また、特許文献１に記載の空調設備においては、外部へ放出された空気容量分の外気が空調機に導入され、再度劇場に戻される空気と混合されて劇場へ送られる。
【０００４】
【特許文献１】特開平０８−２４７４９８号公報（第３頁及び第４頁、図１）
【発明の開示】
【発明が解決しようとする課題】
【０００５】
特許文献１のような空調設備を使用すると、劇場から吸気される空調された空気の再利用ができ、省エネルギー化に貢献することができる。
しかし、近年、大容量の劇場施設として、映画を上映する劇場が複数集合したシネマコンプレックスという形態がとられることが多くなっている。
シネマコンプレックスとは、図６に示すように、一つの大容量建築物の中に複数の劇場を備えた複合施設である。
シネマコンプレックスは、同時に複数種類の映画を上映することができること、集客予想に応じて上映する劇場の大きさを割り振ることができること等の利点を多数有するため、年々増加傾向にある。
【０００６】
このような、シネマコンプレックスの場合には、通常、各劇場毎に映写機械室が備えられているが、この映写機械室では空調を行うことが必要不可欠である。
つまり、映写機械室では、フィルムに大光量の光を照射する必要があるが、この照射光の光源は莫大な熱量を有している。このため、このような光源が発する熱量から映画フィルムを防御するためには、映写機械室内の空気を冷却する必要がある。
また、例えば、映写機械室の空気が過度に乾燥していると、フィルムの破損の原因となる。
【０００７】
このように、劇場が映画を上映するものである場合には、劇場内のみならず、映写機械室もまた空調を行う必要がある。
しかし、特許文献１の技術では、映写機械室への空調と行うという概念がなく、このシステムを映画を上映する劇場に応用する場合には、映写機械室にもまた別個に劇場と同様の空調システムを導入する必要があった。
しかし、劇場と映写機械室、夫々に空調システムを導入するためには、導入コストがかかるとともに、複数の空調システムを稼動させるためのランニングコストもまた上昇することとなる。
特に、シネマコンプレックスのように、映画を上映する劇場及び映写機械室が複数集合している施設の場合には、空調システムの導入コスト及びランニングコストが大幅に上昇することとなる。
【０００８】
また、通常、大劇場においては、劇場内の快適性及び安全性のため、劇場内の空気の一部を常時外気と置換することが行われている。
このため、劇場内の空気のうち外気と置換された分の空気は、室外に放出されている。
しかし、この室外に放出される空気は空調された空気であるため、そのまま外部へ放出するのでは、エネルギーの無駄となる。
また、シネマコンプレックスのように複数の劇場が集合した施設では、各劇場より空気を外部へ放出するためのダクトを設置する必要があり、ダクトの設置コストがかかるとともに設置のための労力もかかる。
【０００９】
本発明の目的は、上記各問題点を解決することにあり、劇場内から放出される空気を再利用して効率よく映写機械室を空調し、空調システムの導入コスト及びランニングコストを抑えることが可能な空調システムを提供することにある。
【課題を解決するための手段】
【００１０】
上記課題は、請求項１に係る発明によれば、少なくとも一つの第１被空調室と少なくとも一つの第２被空調室との空調を行う空調システムにおいて、該空調システムは、空調機と、外気を取込む外気導入手段と、前記第１被空調室の空調空気を一部吸気して移送する吸気手段と、前記第２被空調室へ前記空調空気を導入する第１空気導入手段と、前記空調機へ前記空調空気を導入する第２空気導入手段と、外気と前記空調空気を混合して再度空調を行う再空調手段と、前記第１被空調室へ再空調された再空調空気を導入する空気還元手段と、を備え、前記吸気手段により吸気された前記空調空気は分岐され、一方の前記空調空気は、前記第１空気導入手段により前記第２被空調室へ導入されるとともに、他方の前記空調空気は前記第２空気導入手段により前記空調機へと送られ、前記空調機へと送られた前記空調空気は、前記再空調手段により外気と混合されるとともに、再度空調されて前記再空調空気となり、該再空調空気は前記空気還元手段により前記第１被空調室に導入されることにより解決される。
【００１１】
このように、第１被空調室内の空調空気は吸気されて、第２被空調室と空調機とに送られる。
空調機では外気と空調空気とを混合して再空調する。この再空調された再空調空気は、第１被空調室へ戻される。
また、第２被空調室へと送られた空調空気により、第２被空調室の室内環境は第１被空調室の室内環境と同様の環境に保たれることとなる。
つまり、第２被空調室へ導入される空調空気は、第１被空調室内の空調空気を吸気したものであるため、この空調空気を導入すれば、第２被空調室内の室内環境もまた第１被空調質の室内環境と同様になる。
【００１２】
従来より、第１被空調室内の快適性及び安全性のため、第１被空調室内の空気を一部外気と置換することが行われていたが、外気と置換された分の第１被空調室内の空気は、外部へ放出されるのみであり、エネルギーの無駄となっていた。
しかし、本発明に係る空調システムによれば、第１被空調室から吸気した空調空気を第２被空調室へと送ることができる。
よって、第２被空調室に新たに空調システムを設けることなく、第２被空調室内の環境を第１被空調室内の環境と同様に保つことができる。
【００１３】
また、外気と置換される分の空気は、第２被空調室へと導入されるため、外気と置換される分の空気を排気するための設備を設ける必要がない。
よって、特にシネマコンプレックス等、第１被空調室が多数集合した施設の場合には、長く複雑な排気設備を設ける手間とコストを省くことができる。
【００１４】
このとき、前記再空調手段は、前記第２空気導入手段が導入する前記空調空気に、前記第２被空調室内へ導入された前記空調空気の容量分の外気を補填して再度空調を行うよう構成されていると、空調システムの空気循環を効率良く行うことができるとともに、エネルギーを有効に使用できるため好適である。
【００１５】
また、このとき、前記第１空気導入手段には、前記空調空気の導入量を調整するための調整手段が備えられていると、第２被空調室に導入する空調空気の量を調整することができるため好適である。
【００１６】
更に、このとき、前記第２被空調室には、排気手段が備えられており、前記第２被空調室内の空気のうち、前記空調空気が導入された分の容量の空気が、前記排気手段より放出されるよう構成されていると、第２被空調室内の空気循環を効率良く行うことができるため好適である。
【００１７】
また、このとき、前記第１被空調室は映画館であり、前記第２被空調室は映写機械室であると、フィルムを投影するための光源より放出される熱を、導入用空気により効率よく冷却することができるため好適である。
【発明の効果】
【００１８】
本発明によれば、第１被空調室内の空調空気は吸気されて、第２被空調室と空調機とに送られる。
空調機では、外気と送り込まれた空調空気とが混合されて再度空調される。
この再度空調された再空調空気は、第１被空調室へ戻される。
また、第１被空調室より吸気された空調空気の一部は、第２被空調室へと送られる。
よって、第２被空調室の室内環境は、第１被空調室の室内環境と同様の環境に保たれることとなる。
つまり、第２被空調室に導入される空調空気は、第１被空調室内の空調空気を吸気したものであるため、この空調空気を導入すれば、第２被空調室内の室内環境もまた第１被空調質の室内環境と同様の環境とすることが可能となる。
【００１９】
従来より、第１被空調室内の快適性及び安全性のため、第１被空調室内の空気を一部外気と置換することが行われていたが、外気と置換された分の第１被空調室内の空気は、外部へ放出されるのみであり、エネルギーの無駄となっていた。
しかし、本発明によれば、第１被空調室から吸気した空調空気を第２被空調室へと送ることができ、このため第２被空調室は空調されることとなる。
よって、第２被空調室に新たに空調システムを設けることなく、第２被空調室内の環境を第１被空調室内の環境と同様に保つことができる。
【００２０】
また、本発明によれば、外気と置換される分の空気は、第２被空調室へと導入されるため、外気と置換される分の空気を排気するための設備を設ける必要がない。
よって、特にシネマコンプレックス等、第１被空調室が多数集合した施設の場合には、長く複雑な排気設備を設ける手間とコストを省くことができる。
【発明を実施するための最良の形態】
【００２１】
以下、本発明の一実施例を図面に基づいて説明する。
なお、以下に説明する構成は本発明を限定するものでなく、本発明の趣旨の範囲内で種々改変することができるものである。
本実施形態は、劇場内から放出される空気を再利用して効率よく映写機械室を空調し、空調システムの導入コスト及びランニングコストを抑えることが可能な空調システムに関するものである。
【００２２】
図１乃至図５は、本発明に係る実施形態を示すものであり、図１は小容量劇場の空調設備の全体構成図、図２は劇場内空気の循環ラインを示す説明図、図３は映写機械室の取込ラインを示す説明図、図４は映写機械室の排気ラインを示す説明図、図５は大容量劇場の空調設備の構成図である。
【００２３】
まず、図１により本実施形態に係る空調システムＳ全体について説明する。
空調システムＳは、シネマコンプレックスを形成する映画上映のための劇場のうち、比較的容量の小さい劇場に使用されるシステムである。
図１に示すように、本実施形態に係る空調システムＳは、空調機Ｔ、吸気手段としての第１ダクト１１、第２空気導入手段としての第２ダクト１２、第１空気導入手段としての第３ダクト１３、外気導入手段としての第４ダクト１４、空気還元手段としての第５ダクト１５、排気手段としての第６ダクト１６、排気手段としての第７ダクト１７を主要構成としている。
【００２４】
なお、本実施形態に係るシネマコンプレックスの一単位は、映画の上演を行う第１被空調室としての劇場Ｇ、空調機Ｔ及び図示しない制御機器が備えられた機械室Ｋ、フィルムの映写を行う第２被空調室としての映写機械室Ｅとで構成されている。しかし、一単位の構成はこれに限られるものではない。
つまり、一単位中に劇場Ｇ及び映写機械室Ｅが複数備えられていてもよい。
【００２５】
また、本実施形態における、吸気口、取込口、排気口等の、設置個数及び設置位置は、一例であり、構成はこれに限られるものではない。
吸気口、取込口、排気口等の、設置個数及び設置位置は、劇場の容量、各使用機器の能力、劇場の構成等により適宜決定されるものである。
【００２６】
本実施形態に係る空調機Ｔは、公知の空調機であり、再空調手段としての公知の熱交換器Ｔ１を備えている。
熱交換器Ｔ１に導入された空気は、この熱交換器Ｔ１により熱交換されて、所定の温度に調整される。
本実施形態に係る第１ダクト１１乃至第７ダクト１７は、全て公知のダクトであり、空気流路となる。
なお、ダクトの形状、口径等は、劇場Ｇの容積、空調機Ｔの能力等に応じて適宜選択される。
【００２７】
本実施形態に係る第１ダクト１１は、劇場Ｇより空気を吸気するためのダクトである。
劇場Ｇには、劇場吸気口Ｇ１が備えられており、第１ダクト１１は、この劇場吸気口Ｇ１と、機械室Ｋに備えられる第１送風ファン２１とを連結している。
第１ダクト１１が、劇場Ｇと機械室Ｋとの仕切りを通過する部分にはダンパＤ１が備えられており、第１ダクト１１を通過する空気は、ダンパＤ１を介して、第１送風ファン２１へと送られる。
なお、ダンパＤ１には図示しないモータが取付けられており、このモータによりダンパＤ１の開閉が行われる。
【００２８】
本実施形態に係る第２ダクト１２は、第１送風ファン２１より空調機Ｔの第１空調機吸気口Ｔ２へ空気を送るためのダクトである。
なお、第１空調機吸気口Ｔ２付近には、ダンパＤ３が備えられており、ダンパＤ１と同様に図示しないモータで開閉される。
【００２９】
本実施形態に係る第３ダクト１３は、第１送風ファン２１より映写機械室Ｅの映写機械室取込口Ｅ１へ空気を送るためのダクトである。
第３ダクト１３には、調整手段としての調整弁１３ａが配設されており、この調整弁１３ａの開度を調整することにより、映写機械室Ｅへの送気量を調整することができる。
第２ダクト１２と第３ダクト１３は、分岐点３０から分岐している。
つまり、第１送風ファン２１から送られた空気は、分岐点３０で、第２ダクト１２と第３ダクト１３に分配されて送風される。
【００３０】
本実施形態に係る第４ダクト１４は、外気吸気口Ｗより空調機Ｔの第２空調機吸気口Ｔ３へ空気を送るためのダクトである。
この第４ダクト１４より、外気が空調機Ｔへ取込まれる。
本実施形態に係る第５ダクト１５は、空調機送気口Ｔ４より劇場取込口Ｇ２，Ｇ２へ空気を送るためのダクトである。
なお、劇場取込口Ｇ２，Ｇ２は、劇場Ｇ内に配設されている。
【００３１】
空調機Ｔで空調された空気は、この第５ダクト１５によって、劇場Ｇ内へ送られる。
第５ダクト１５が、劇場Ｇと機械室Ｋの仕切りを通過する部分にはダンパＤ２が備えられており、第５ダクト１５を通過する空気は、ダンパＤ２を介して、劇場Ｇ内へと送られる。
なお、ダンパＤ２は、ダンパＤ１と同様に図示しないモータで開閉される。
【００３２】
本実施形態に係る第６ダクト１６は、映写機械室Ｅの第１映写機械室排気口Ｅ２より、機械室Ｋ内に備えられる排気口Ｖに空気を送るためのダクトである。
第６ダクト１６には、第２送風ファン２２及びダンパＤ５が備えられており、映写機械室Ｅの空気は、第２送風ファン２２及びダンパＤ５を介して、排気口Ｖより機械室Ｋ内へ放出される。
ダンパＤ５は、ダンパＤ１と同様に図示しないモータで開閉される。
なお、排気口Ｖは、機械室Ｋ内に備えられている。
これは、排気口Ｖを外気と連通させていると、排気口Ｖより外気が逆流する場合があるからである。
このように、外気が排気口Ｖより逆流し、映写機械室Ｅに導入されると、映写機械室Ｅ内の機器やフィルムに悪影響を与えることとなる。
よって、排気口Ｖを機械室Ｋ内に配設することとしたものである。
【００３３】
本実施形態に係る第７ダクト１７は、映写機械室Ｅの第２映写機械室排気口Ｅ３より排気口Ｖに空気を送るためのダクトである。
なお、第６ダクト１６には第２送風ファン２２が備えられているため、第６ダクト１６からの排気は強制排気となり、第７ダクト１７からの排気は自然排気となる。
【００３４】
次いで、図２乃至図４より、空気の循環流路を説明する。
図２は、劇場Ｇ内の空気の循環ラインを示す説明図である。
劇場Ｇ内の空気は、劇場吸気口Ｇ１より吸気され、ダンパＤ１及び第１送風ファン２１を介し、分岐点３０で分岐して第２ダクト１２に送られる。
【００３５】
第２ダクト１２に送られた空気は、ダンパＤ３を介して第１空調機吸気口Ｔ２から空調機Ｔへ導入される。
このとき、劇場Ｇ内の空気は、第１送風ファン２１により強制的に吸気される。
なお、劇場Ｇ内より吸気する空気量は、ダンパＤ１の開度及び第１送風ファン２１の駆動力を調整することにより調整することができる。
【００３６】
また、室外の空気が、外気吸気口Ｗから取込まれ、第４ダクト１４により空調機Ｔへ送られる。
第４ダクト１４に取込まれた空気は、ダンパＤ４を介して第２空調機吸気口Ｔ３から空調機Ｔへ導入される。
このように、第１空調機吸気口Ｔ２から空調機Ｔへ導入された空気と、第２空調機吸気口Ｔ３から導入された空気は混合されて、熱交換器Ｔ１で設定温度に調整される。
【００３７】
次いで、熱交換器Ｔ１で空調された再空調空気としての空気は、空調機送気口Ｔ４より放出され、第５ダクト１５によって劇場取込口Ｇ２，Ｇ２へ送られる。
このように、劇場Ｇ内の空気は、常に一定割合の空気が外気と置換されることとなる。
つまり、常時、劇場Ｇ内の一定量の空気が外気と置換されるとともに空調されて、劇場Ｇ内へ返送されている。
【００３８】
次いで、図３により、映写機械室Ｅへの空気導入について説明する。
劇場Ｇ内の空気は、劇場吸気口Ｇ１より吸気され、ダンパＤ１及び第１送風ファン２１を介し、分岐点３０で分岐して第３ダクト１３に送られる。
第３ダクト１３に送られた空気は、調整弁１３ａを介して映写機械室取込口Ｅ１から映写機械室Ｅへ送られる。
このように、映写機械室Ｅには、劇場Ｇから吸気された空気の一部が送り込まれることとなる。
【００３９】
なお、第３ダクト１３へ取込まれる空気の量は、調整弁１３ａの開度を調整することにより行われる。
この調整は、手動により行ってもよいし、劇場Ｇ内の環境や映写機械室Ｅ内の環境をセンサにより把握し、フィードバック制御により自動的に開度を調整するように構成されていてもよい。
【００４０】
この映写機械室Ｅに送り込まれる空気の量は、劇場Ｇに送り込まれる空気のうち、外気で置換される空気の量とほぼ同一である。
つまり、劇場Ｇ内の快適性及び安全性を確保するため、劇場Ｇ内の空気のうち一定割合の空気は常時外気と置換されているが、この外気と置換される空気がそのまま映写機械室Ｅへと導入されるということである。
【００４１】
劇場Ｇ内の空気は、空調され、一定温度・一定湿度に保たれている。
よって、この劇場Ｇから吸気した空気を映写機械室Ｅへ導入すれば、映写機械室Ｅの環境を、劇場Ｇの環境とほぼ同様の環境にすることができる。
このため、映写機械室Ｅに別個に空調設備を設ける必要がなくなる。
また、映写機械室Ｅ用の空調を併用する場合であっても、空調された空気が送り込まれてくるため、使用するエネルギーを小さく抑えることができる。
【００４２】
次いで、図４により、映写機械室Ｅの排気について説明する。
本実施形態においては、映写機械室Ｅの排気系統を２系統とした。
ただし、構成はこれに限られることはなく、必要に応じて、系統数を増減することができる。
映写機械室Ｅ内の空気は、第１映写機械室排気口Ｅ２及び第２映写機械室排気口Ｅ３より排気される。
【００４３】
映写機械室Ｅ内の空気は、第１映写機械室排気口Ｅ２から第６ダクト１６を通り、排気口Ｖから機械室Ｋ内へ放出される。
このとき、第６ダクト１６には、第２送風ファン２２及びダンパＤ５が備えられており、映写機械室Ｅの空気は、第２送風ファン２２及びダンパＤ５を介して、排気口Ｖより機械室Ｋ内へ放出される。
【００４４】
第６ダクト１６には第２送風ファン２２が備えられているため、このラインからの排気は強制排気となる。
また、映写機械室Ｅ内の空気は、第２映写機械室排気口Ｅ３から第７ダクト１７を通り、排気口Ｖより機械室Ｋ内へ放出される。
このラインでは、自然排気となる。
【００４５】
なお、図５は大容量劇場の空調設備の構成図の一例である。
本例は、劇場Ｇより容量の大きい劇場Ｇ´に本システムを利用する場合の一例であるが、空調機Ｔ，Ｔを２個使用している。
劇場Ｇ´から吸気した空気は、空調機Ｔ，Ｔ及び映写機械室Ｅ´にそれぞれ分配される。
その他の構成は、上記実施形態と同様である。
【００４６】
以上のように、本実施形態においては、劇場Ｇ内の空気のうち、外気と置換される空気を映写機械室Ｅに導入することとした。
劇場Ｇ内の空気は、空調されているため、映写機械室Ｅには、空調された空気が導入されることとなる。
よって、映写機械室Ｅ用に別個に空調システムを設置する必要がなくなる。
また、劇場Ｇ内の空気のうち、外気と置換される空気は、従来、そのまま室外へ捨てられていた。
しかし、本実施形態に係る空調システムＳにおいては、この室外へ捨てられる空気を利用することができる。
よって、省エネルギー化に貢献することができるとともに、空調設備の設置費用及びランニングコストを低減することができる。
【図面の簡単な説明】
【００４７】
【図１】本発明の一実施形態に係る小容量劇場の空調設備の全体構成図である。
【図２】本発明の一実施形態に係る劇場内空気の循環ラインを示す説明図である。
【図３】本発明の一実施形態に係る映写機械室の取込ラインを示す説明図である。
【図４】本発明の一実施形態に係る映写機械室の排気ラインを示す説明図である。
【図５】本発明の一実施形態に係る大容量劇場の空調設備の構成図である。
【図６】従来技術のシネマコンプレックスを示す説明図である。
【符号の説明】
【００４８】
１１  吸気手段（第１ダクト）
１２  第２空気導入手段（第２ダクト）
１３  第１空気導入手段（第３ダクト）
１３ａ  調整手段（調整弁）
１４  外気導入手段（第４ダクト）
１５  空気還元手段（第５ダクト）
１６  排気手段（第６ダクト）
１７  排気手段（第７ダクト）
２１  第１送風ファン
２２  第２送風ファン
３０  分岐点
Ｄ１  ダンパ
Ｄ２  ダンパ
Ｄ３  ダンパ
Ｄ４  ダンパ
Ｄ５  ダンパ
Ｅ  第２被空調室（映写機械室）
Ｅ´  第２被空調室（映写機械室）
Ｅ１  映写機械室取込口
Ｅ２  第１映写機械室排気口
Ｅ３  第２映写機械室排気口
Ｇ  第１被空調室（劇場）
Ｇ´  第１被空調室（劇場）
Ｇ１  劇場吸気口
Ｇ２  劇場取込口
Ｋ  機械室
Ｓ  空調システム
Ｔ  空調機
Ｔ１  再空調手段（熱交換器）
Ｔ２  第１空調機吸気口
Ｔ３  第２空調機吸気口
Ｔ４  空調機送気口
Ｖ  排気口
Ｗ  外気吸気口
【図１】
2006266577.tif 000003
【図２】
2006266577.tif 000004
【図３】
2006266577.tif 000005
【図４】
2006266577.tif 000006
【図５】
2006266577.tif 000007
【図６】
2006266577.tif 000008